(57)【要約】【課題】デジタルカメラのサービスシステムにおいて、撮像した画像データを予め定められたユーザ毎の所望の態様に合わせて出力する。【解決手段】被写体をデジタルカメラ１０で撮影して取得した画像ファイル毎に対応付けて画像ユーザ識別名と画像ファイルとをデジタルカメラ１０に装填された記録媒体３０に入力する。画像ユーザと所望の出力態様とを関連付けて画像データ出力装置４０内のメモリに記憶しておく。記録媒体３０をデジタルカメラ１０から取り出して画像データ出力装置４０に装填する。画像データ出力装置４０において、記録媒体３０から画像ファイルとこの画像ファイルに対応する画像ユーザ識別名とを読み出すとともに、画像ユーザ識別名に対応する画像出力態様をこの画像データ出力装置４０内の記憶手段から読み出して上記画像ファイル中の画像データを上記画像出力態様で出力する。【選択図】　　　　　図１
2004050407.tif 000002
【特許請求の範囲】
【請求項１】
被写体をデジタルカメラで撮影して取得した画像ファイル毎に対応付けて該画像ファイルを利用するユーザを識別するための画像ユーザ識別名と前記画像ファイルとを該デジタルカメラに装填された記録媒体に入力し、前記ユーザ毎に適用すべき画像出力態様を記憶手段に記憶させ、前記記録媒体を前記デジタルカメラから取り出して前記画像ファイル中の画像データを所望の態様で出力する画像データ出力装置に装填し、該画像データ出力装置において、前記記録媒体から前記画像ファイルと該画像ファイルに対応する画像ユーザ識別名とを読み出すとともに、前記記憶手段から、読み出された前記画像ユーザ識別名に対応するユーザに適用すべき画像出力態様を読み出し、前記読み出された画像ファイル中の画像データを前記読み出された画像出力態様で出力することを特徴とする画像撮影出力方法。
【請求項２】
請求項１記載の画像撮影出力方法に使用するデジタルカメラであって、
被写体を撮影して取得した該被写体の画像データを含む画像ファイルと、該画像ファイル毎に対応付けられた前記画像ファイルを利用するユーザを識別するための画像ユーザ識別名とを、前記デジタルカメラ本体に装填された記録媒体に入力する入力手段を備えたことを特徴とするデジタルカメラ。
【請求項３】
請求項１記載の画像撮影出力方法に使用する記録媒体であって、
前記デジタルカメラに装脱可能に装填され、前記デジタルカメラから入力された画像ファイル毎の画像データと該画像データに対応付けられた画像ユーザ識別名とを互いに関連付けたまま記録することを特徴とする記録媒体。
【請求項４】
請求項１記載の画像撮影出力方法に使用する前記記憶手段に記憶される画像ファイルのフォーマットであって、
前記デジタルカメラから出力される画像ファイル毎の画像データと該画像データに対応付けられた画像ユーザ識別名とを互いに関連付けて記録するように構成されていることを特徴とする画像ファイルのフォーマット。
【請求項５】
請求項１の画像撮影出力方法に使用する画像データ出力装置であって、
装填された前記記録媒体から前記画像ファイルと該画像ファイルに対応する画像ユーザ識別名とを読み出す第１の読取手段と、前記記憶手段から前記画像ユーザ識別名に対応するユーザに適用すべき画像出力態様を読み出す第２の読取手段と、前記読み出された画像ファイル中の画像データを前記読み出された画像出力態様で出力する画像出力手段とを備えていることを特徴とする画像データ出力装置。
【発明の詳細な説明】
【０００１】
【発明の属する技術分野】
本発明は、画像撮影出力方法に関し、詳しくは、被写体をデジタルカメラで撮影して取得した画像ファイルを所望の態様で出力する画像撮影出力方法、ならびにそれに使用するカメラ、画像データ出力装置、記録媒体およびファイルフォーマットに関するものである。
【０００２】
【従来の技術】
従来より、被写体を撮影してこの被写体を表す画像データを含む画像ファイルを取得するデジタルカメラが知られている。また、デジタルカメラに装脱可能に装填されてこのデジタルカメラで取得された画像ファイルを記録する記録媒体として半導体メモリを内蔵したメモリカードや、磁気ディスクを内蔵した小型磁気記録媒体が知られている。
【０００３】
さらに、上記記録媒体に記録された画像ファイルを読み出し、この画像ファイルに含まれる画像データを所望の態様（例えば、画像データを可視画像としてペーパーにプリントしたり、データのままフロッピー（登録商標）ディスクやＣＤ−Ｒ等のメディアに記録したりする）で出力する画像データ出力装置も知られている。また、上記画像ファイルには、上記画像データの他に撮影に関する情報が付帯情報として記録されており、例えば、画像ファイルのフォーマットであるＥｘｉｆにおいてはこの付帯情報がタグ部に記録され、このタグ部から得られる付帯情報を利用して画像データを可視画像として出力するときの画質を向上させたり、撮影日等の情報を画像データが表す可視画像に重畳させて印刷したりしている。このタグ部に記録される付帯情報としては、撮影日時、フラッシュのＯＮ／ＯＦＦ、ＧＰＳ位置情報、タイトル、測光モード、ｆ値、画像圧縮モード等がある。
【０００４】
【発明が解決しようとする課題】
ところで、デジタルカメラで撮影され取得された画像データの出力態様は、印画紙に焼き付けるだけの従来のカメラと異なりデータをプリントしないでＣＤ−Ｒに落としたり、半導体メモリの形のまま人に渡したり、各種の出力態様があり、それらは画像を利用するユーザ毎に希望する態様が異なることがある。
【０００５】
すなわち、例えば、同じカメラでＡ、Ｂ、Ｃの３人が写真を撮影した場合、Ａさんは、デジタルカメラを使用して自分が撮影し取得した画像データをペーパーにプリントして利用するユーザであり、Ｂさんは自分が撮影し取得した画像データに画像圧縮処理を施してＣＤ−Ｒに保存して利用するユーザであり、撮影の被写体となったＣさんは、自分が被写体となって取得された画像データを画像圧縮することなくＭＯ（光磁気ディスク）に記録してパソコンでスライドショーとして見るユーザであるというように、各人の希望する画像出力態様が異なることがある。
【０００６】
このような場合には、デジタルカメラで撮影された画像ファイルが記録されている記録媒体を画像データ出力装置に装填した後に、この画像データ出力装置に対して、画像ファイル毎に画像データの画像出力態様（例えば、画像データの出力媒体、画像加工の態様、あるいは出力数等）を指定して上記画像ファイルを所望の態様で出力させる必要があり、このような指定を行なう操作が煩雑になるという問題がある。
【０００７】
本発明は、上記事情に鑑みてなされたものであり、被写体を撮影して取得した画像データをユーザ毎の所望の態様で自動的に出力することができる画像撮影出力方法、およびそのためのカメラ、画像データ出力装置、記録媒体等の機器やファイルフォーマットを提供することを目的とするものである。
【０００８】
【課題を解決するための手段】
本発明の画像撮影出力方法は、被写体をデジタルカメラで撮影して得た画像ファイル毎に対応付けてこの画像ファイルを利用するユーザを識別するための画像ユーザ識別名と画像ファイルとをカメラに装填された記録媒体に入力し、ユーザ毎に適用すべき画像出力態様を記憶手段に記憶させ、記録媒体をカメラから取り出して画像データ出力装置に装填し、記録媒体から画像ファイルとこの画像ファイルに対応する画像ユーザ識別名とを読み出すとともに、記憶手段から画像ユーザ識別名に対応するユーザに適用すべき画像出力態様を読み出し、画像ファイルの画像データを前記読み出された画像出力態様で出力することを特徴とするものである。
【０００９】
前記画像撮影出力方法に使用するデジタルカメラは、被写体を撮影して取得したこの被写体の画像データを含む画像ファイルと、この画像ファイル毎に対応付けられた画像ファイルの利用ユーザを識別するための画像ユーザ識別名とをデジタルカメラ本体に装填された記録媒体に入力する入力手段を備えたことを特徴とするものである。
【００１０】
「画像ユーザ識別名」とは、出力された画像を利用するユーザ、具体的にはカメラを使用した者、あるいは写っている被写体（人物）等で、あとから出力データを渡したい者を識別する情報で、ユーザによりマニュアルでカメラに入力するようにしてもよいし、カメラの使用者がユーザである場合はカメラに備えた指紋照合により自動的にこの使用者を識別して入力するようにしてもよい。
【００１１】
前記画像撮影出力方法に使用する記録媒体は、デジタルカメラに装脱可能に装填され、このデジタルカメラから入力された画像ファイル毎の画像データとこの画像データに対応付けられた画像ユーザ識別名とを互いに関連付けたまま記録することを特徴とするものである。
【００１２】
ができる。
【００１３】
前記画像撮影出力方法に使用する記憶手段に記憶される画像ファイルのフォーマットは、デジタルカメラから出力される画像ファイル毎の画像データとこの画像データに対応付けられた画像ユーザ識別名とを互いに関連付けて記録するように構成されていることを特徴とするものである。
【００１４】
前記画像撮影出力方法に使用する画像データ出力装置は、装填された記録媒体から画像ファイルとこの画像ファイルに対応する画像ユーザ識別名とを読み出す第１の読取手段と、記憶手段から画像ユーザ識別名に対応するユーザに適用すべき画像出力態様を読み出す第２の読取手段と、前記読み出された画像ファイル中の画像データを前記読み出された画像出力態様で出力する画像出力手段とを備えたことを特徴とするものである。
【００１５】
なお、前記記録媒体としては、例えば、半導体メモリを内蔵したメモリカードや、磁気ディスクを内蔵した小型磁気記録媒体等を使用することができる。
【００１６】
また、前記画像出力態様とは、画像データの出力に伴う態様を意味するものであり、例えば、出力媒体、画像加工、出力サイズ、出力数の態様等を意味するものである。より具体的には、出力媒体の態様としてはプリント用紙、ＣＤ−Ｒ、ＭＯ等、画像加工の態様としてはセピア仕上げ、枠付き仕上げ、軟調・硬調仕上げ、補正の大小等態様が挙げられる。
【００１７】
【発明の効果】
本発明の画像撮影出力方法によれば、被写体をデジタルカメラで撮影して得た画像ファイル毎に対応付けて画像ファイルを利用するユーザを識別するための画像ユーザ識別名と画像ファイルとをカメラにおいて記録媒体に入力し、ユーザ毎に適用すべき画像出力態様を記憶手段に記憶させておき、前記記録媒体をカメラから取り出して画像データ出力装置に装填し、この画像データ出力装置においては、記録媒体から画像ファイルとそれに対応する画像ユーザ識別名とを読み出すとともに、前記画像ユーザ識別名のユーザに適用すべき画像出力態様を読み出し、この読み出された画像データを読み出された画像出力態様で出力するようにしているので、画像ファイル中の画像データをユーザ毎の所望の態様で自動的に出力することができる。
【００１８】
【発明の実施の形態】
以下、本発明の具体的な実施の形態について、図面を用いて説明する。図１は本発明の画像撮影出力方法を実施する画像撮影出力システムの概念図、図２はデジタルカメラの概略構成を示すブロック図、図３は画像データ出力装置の概略構成を示すブロック図、図４（ａ）および図４（ｂ）は画像ファイルとこの画像ファイルを利用するユーザとを対応付ける際の情報の流れを示す概念図、図５は画像ファイルと画像ユーザ識別名とが画像ファイル毎に順次対応付けられる様子を示す図、図６は画像データ出力装置における情報の流れを示す概念図、図７は画像ファイルとこの画像ファイル中の画像データの画像出力態様との関係を示す概念図である。
【００１９】
図１に示すように、本発明の画像撮影出力方法を実施する画像撮影出力システムは、被写体１を撮影して画像ファイルを取得するデジタルカメラ１０と、デジタルカメラ１０に装脱可能に装填され上記取得された画像ファイルを記録する記録媒体３０と、装填された上記記録媒体３０から読み出された画像ファイル中の画像データを所望の態様で出力する画像データ出力装置４０とから構成されている。
【００２０】
図１および図２に示すように、デジタルカメラ１０は、被写体１を撮影して取得した被写体１の画像データを含む画像ファイルと、上記画像ファイル毎に対応付けられたこの画像ファイルを利用するユーザを識別するための画像ユーザ識別名とを、デジタルカメラ本体に装填された記録媒体３０に入力する入力手段２０、記録媒体３０が装脱可能に装填される記録媒体装填部２１、被写体１の像を結像させるレンズ部１１とレンズ部１１によって結像された被写体１の像を光電変換するＣＣＤ素子１２とＣＣＤ素子１２によって光電変換された信号をＡ／Ｄ変換して被写体１を表す画像データを出力するＡ／Ｄ変換部１３とを有する撮像手段１５、撮像手段１５で取得された画像データとこのカメラ内部の電気回路（図示は省略）から入力された撮影に関する種々の付帯情報Ｊ（フラッシュＯＮ／ＯＦＦ、測光モード、ｆ値等）とを取り込んで画像ファイルを作成し記憶する画像ファイル作成手段１６、画像ファイル作成手段１６に記憶された画像ファイル中の画像データを可視画像として表示する表示部２５、およびユーザの指紋を入力する指紋入力窓１７とこの指紋入力窓１７から入力された指紋情報を予め登録されているユーザの指紋情報と照合して、この指紋を持つユーザに対して特定の画像ユーザ識別名を対応付ける指紋照合部１８とを有する画像ユーザ識別名取得手段１９を備えている。
【００２１】
入力手段２０は、画像ファイル作成手段１６から画像ファイルを取得するとともに、この画像ファイルに対応付けられた画像ユーザ識別名を画像ユーザ識別名取得手段１９から取得し、記録媒体装填部２１に装填された記録媒体３０に上記画像ファイルと画像ユーザ識別名とを対応付けた状態で入力する。上記画像ファイルと画像ユーザ識別名との対応付けについては後述する。
【００２２】
なお、デジタルカメラ１０の全体の制御はコントローラ（図示は省略）によって行なわれる。
【００２３】
記録媒体３０は、記録媒体装填部２１に装脱可能に装填され、デジタルカメラ１０の入力手段２０から入力された画像ファイル毎の画像データとこの画像データに対応付けられた画像ユーザ識別名とを互いに関連付けたまま記録する。ここで、上記記録媒体３０における画像ファイルのフォーマットは、デジタルカメラから出力される画像ファイル毎の画像データとこの画像データに対応付けられた画像ユーザ識別名とを互いに関連付けて記録するように構成されている。なお、上記画像ファイルのフォーマットは、画像ユーザ識別名を個別に画像ファイルと関連付けるものであってもよいし、画像ユーザ識別名を画像ファイルの付帯情報として取り込むものであってもよい。
【００２４】
図１および図３に示すように、画像データ出力装置４０は、記録媒体３０を装脱可能に装填する記録媒体装填部４１、この記録媒体装填部４１に装填された記録媒体３０から画像ファイルとこの画像ファイルに対応する画像ユーザ識別名とを読み出す第１の読取手段４２、ユーザ毎に適用すべき画像出力態様を記憶させておく記憶手段５１、第１の読取手段４２から画像ユーザ識別名を読み出すとともに、この読み出した画像ユーザ識別名に対応するユーザに適用すべき画像出力態様を記憶手段５１から読み取る第２の読取手段４３、第１の読取手段４２から読み出した画像ファイル中の画像データを第２の読取手段４３から読み取った画像出力態様で出力する画像出力手段４４、およびユーザ毎に適用すべき画像出力態様を入力画面４５を介して記憶手段５１に入力する出力態様登録手段４６を備えている。なお、画像出力手段４４は、読み出したデータを記憶するバッファ部４７、画像データに画像加工を施す画像加工部４８、画像データを可視画像としてプリントする画像プリント部４９Ａ、画像データをＣＤ−Ｒに記録するＣＤ−Ｒ記録部４９Ｂおよび画像データをＭＯに記録するＭＯ記録部４９Ｃとを備えている。
【００２５】
なお、画像データ出力装置４０全体の制御はコントローラ（図示は省略）によって行なわれる。
【００２６】
次に上記実施の形態における作用について説明する。
【００２７】
図２に示すように、被写体を撮像手段１５を通して撮像し取得した画像データを上記カメラ内部の電気回路から入力された付帯情報Ｊとともに画像ファイル作成手段１６に入力し、画像ファイル作成手段１６が画像データと付帯情報とを持つ画像ファイルを作成し記憶する。
【００２８】
一方、上記作成された画像ファイルの利用を希望するユーザは画像ユーザ識別名取得手段１９の指紋入力窓１７に指を押し当てて指紋情報を入力する。指紋照合部１８は入力された指紋情報をこの指紋照合部１８に予め登録されているユーザの指紋情報と照合して上記指紋に対応するユーザを特定し、この特定されたユーザに対応する画像ユーザ識別名を入力手段２０に出力する。すなわち、指紋入力窓１７に指を押し当てたユーザ、と同じ指紋情報を持つユーザ（すなわち本人）が特定され、このユーザに対応する画像ユーザ識別名が入力手段２０に出力される。
【００２９】
なお、上記画像ファイルのユーザが複数の場合には１つの画像ファイルに対して複数のユーザの指紋情報を入力することにより複数の画像ユーザ識別名が入力手段２０に出力される。
【００３０】
入力手段２０は、指紋照合部１８から出力された画像ユーザ識別名と画像ファイル作成手段１６で作成された画像ファイルとを互いに対応付けて取得し、上記画像ファイルと画像ユーザ識別名とを録媒体装填部２１に装填された記録媒体３０に入力する。上記画像ファイルと画像ユーザ識別名との対応付けは以下のようにして行なわれる。
【００３１】
すなわち、画像ファイル作成手段１６に記憶された画像ファイル中の画像データを可視画像としてデジタルカメラ１０のモニタ画面２５に表示させているときに、この画像ファイルのユーザが指紋入力窓１７に指を押し当てて指紋照合部１８が指紋情報を取得することによって、この画像ファイルと上記指紋情報に予め対応付けられている画像ユーザ識別名とを対応付ける。なお、上記方式の替わりにデジタルカメラのシャッタを押すときに指紋入力窓１７に指を押し当てておくことによって、すなわち撮影者が画像ファイルのユーザとなるように画像ファイルと画像ユーザ識別名とを対応付ける方式を採用することもできる。
【００３２】
ここで、デジタルカメラ１０における画像ファイルとこの画像ファイルを利用するユーザとの対応付けについて、図４（ａ）および図４（ｂ）を用いて詳しく説明する。
【００３３】
デジタルカメラ１０の画像ユーザ識別名取得手段１９の指紋照合部１８には、予めユーザＰ１、Ｐ２、Ｐ３の３人のそれぞれの画像ユーザ識別名と、ユーザＰ１、Ｐ２、Ｐ３の３人のそれぞれの指紋情報Ｓ１、Ｓ２、Ｓ３とが対応付けられて登録されている。ここで、ユーザＰ１の氏名ＡをこのユーザＰ１に対応する画像ユーザ識別名Ａとし、ユーザＰ２の氏名ＢをこのユーザＰ２に対応する画像ユーザ識別名Ｂとし、ユーザＰ３の氏名ＣをこのユーザＰ３に対応する画像ユーザ識別名とする。
【００３４】
なお、この画像ユーザ識別名の入力手段は、指紋照合方式を用いないで、マニュアルで直接「ユーザＰ１」、「ユーザＰ２」、「ユーザＰ３」などと入力するようにしてもよい。
【００３５】
図４（ａ）に示すように、画像ファイルＤ１をユーザＰ１、Ｐ２が利用しようとする場合には、画像ファイル作成手段１６に記憶されている画像ファイルＤ１中の画像データをモニタ画面２５に表示させ、この状態で、ユーザＰ１、Ｐ２が各人の指紋情報を指紋入力窓１７を介して入力する。指紋照合部１８は、上記入力されたユーザＰ１、Ｐ２の指紋情報を予め登録されている指紋情報Ｓ１、Ｓ２、Ｓ３と照合して、上記入力されたユーザＰ１の指紋情報に合致する指紋情報Ｓ１に対応する画像ユーザ識別名Ａ、および入力されたユーザＰ２の指紋情報に合致する指紋情報Ｓ２に対応する画像ユーザ識別名Ｂを出力する。
【００３６】
画像ユーザ識別名取得手段１９の指紋照合部１８から出力された画像ユーザ識別名Ａ、Ｂと、画像ファイル作成手段１６に記憶され上記指紋照合のときに可視画像としてモニタ画面２５に表示されていた上記画像ファイルＤ１とは入力手段２０に入力され互いに対応付けられて記録媒体装填部２１に装填された記録媒体３０に転送され記録される。
【００３７】
次に、画像ファイルＤ２をユーザＰ３が利用しようとする場合には、図４（ｂ）に示すように、画像ファイル作成手段１６に記憶されている画像ファイルＤ２中の画像データをモニタ画面２５に表示させ、この状態で、ユーザＰ３が指紋情報を指紋入力窓１７を介して入力する。指紋照合部１８は、上記入力されたユーザＰ３の指紋情報を予め登録されている指紋情報Ｓ１、Ｓ２、Ｓ３と照合して、上記入力されたユーザＰ３の指紋情報に合致する指紋情報Ｓ３に対応する画像ユーザ識別名Ｃを出力する。
【００３８】
画像ユーザ識別名取得手段１９の指紋照合部１８から出力された画像ユーザ識別名Ｃと、画像ファイル作成手段１６に記憶され上記指紋照合のときに可視画像としてモニタ画面２５に表示されていた上記画像ファイルＤ２とは入力手段２０に入力され互いに対応付けられて記録媒体装填部２１に装填された記録媒体３０に上記と同様に転送され記録される。
【００３９】
このようにして、画像ファイルとこの画像ファイルを利用するユーザを識別するための画像ユーザ識別名とが、図５に示すように、画像ファイル毎に順次対応付けられて記録媒体に記録され蓄積される。
【００４０】
その後、記録媒体３０をデジタルカメラ１０から取り出して画像データ出力装置４０の記録媒体装填部４１に装填する。
【００４１】
図３に示すように、記録媒体装填部４１が装填された画像データ出力装置４０においては、予め、出力態様登録手段４６の入力画面４５から画像ファイルを利用するユーザ毎に適用すべき画像出力態様と各ユーザの画像ユーザ識別名とを対応付けて登録し記憶手段５１に記憶させておく。すなわち、各ユーザ毎に上記デジタルカメラ１０に登録した画像ユーザ識別名と同一の画像ユーザ識別名を予め出力態様登録手段４６から登録しておく。
【００４２】
次に、入力画面４５に上記画像ユーザ識別名を表示させ、この表示された画像ユーザ識別名に対応付ける画像出力態様を入力画面４５から設定する。
【００４３】
上記設定を行ない画像ユーザ識別名と画像出力態様とを対応付けて記憶手段５１に記憶させた後、第１の読取手段４２が、記録媒体装填部４１に装填された前記記録媒体３０から画像ファイルとこの画像ファイルに対応する画像ユーザ識別名とを読み出し記憶する。
【００４４】
つづいて、第２の読取手段４３が、第１の読取手段４２に記憶された画像ユーザ識別名を読み出し、さらに、この読み出された画像ユーザ識別名に対応付けられた画像出力態様を記憶手段５１から読み出して記憶する。次に、画像出力手段４４が、第２の読取手段４３に記憶された画像出力態様と第１の読取手段４２に記憶された画像ファイルとを入力して上記画像ファイルを上記画像出力態様で出力する。
【００４５】
ここで、画像データ出力装置における、所望の画像出力態様での画像データの出力について、画像データ出力装置における情報の流れを示す概念図である図６を用いて詳しく説明する。
【００４６】
出力態様登録手段４６には、上記デジタルカメラ１０に既に登録してある各ユーザＰ１、Ｐ２、Ｐ３の画像ユーザ識別名と同一の画像ユーザ識別名Ａ、Ｂ、Ｃが登録されており、出力態様登録手段４６の入力画面４５での画像ユーザ識別名毎の画像出力態様の登録は、出力態様登録手段４６の入力画面４５上に、この出力態様登録手段４６に予め登録されている上記画像ユーザ識別名Ａ、Ｂ、Ｃを表示させ、この画像ユーザ識別名に対応させて画像出力態様を設定する。このとき、入力画面４５上に、上記画像ユーザ識別名毎に複数の画像出力態様の候補（Ｔ１、Ｔ２、Ｔ３，…）が優先順位の高い順に表示されるように出力態様登録手段４６に予め登録しておき、上記複数の画像出力態様（Ｔ１、Ｔ２、Ｔ３，…）の中から選択した画像出力態様を各画像ユーザ識別名Ａ、Ｂ、Ｃ毎に対応付けて記憶手段５１に記憶させる。
【００４７】
ここでは、画像ユーザ識別名Ａに対して画像出力態様Ｔ１が、画像ユーザ識別名Ｂに対して画像出力態様Ｔ２が、画像ユーザ識別名Ｃに対して画像出力態様Ｔ１が選択され対応付けられる。
【００４８】
なお画像ユーザ識別名Ａに対応する画像出力態様Ｔ１は画像データをペーパーに可視画像をプリントする態様とし、画像ユーザ識別名Ｂに対応する画像出力態様Ｔ２は画像データに画像圧縮処理を施してＣＤ−Ｒに記録する態様とし、画像ユーザ識別名Ｃに対応する画像出力態様Ｔ３は画像データを画像圧縮することなくＭＯに記録する態様とする。
【００４９】
次に、第１の読取手段４２が記録媒体装填部４１に装填された上記記録媒体３０から、画像ファイルＤ１とこの画像ファイルに対応する画像ユーザ識別名Ａ、Ｂとを読み出し記憶する。
【００５０】
第２の読取手段４３は、第１の読取手段４２に記憶された画像ユーザ識別名Ａ、Ｂを読み出し、さらに、この読み出された画像ユーザ識別名Ａ、Ｂを参照して記憶手段５１中を検索し画像ユーザ識別名Ａに対応する画像出力態様Ｔ１と画像ユーザ識別名Ｂに対応する画像出力態様Ｔ２とを読み取って記憶する。画像出力手段４４は、第２の読取手段４３に記憶された画像出力態様Ｔ１、Ｔ２と第１の読取手段４２に記憶された画像ファイルＤ１とをバッファ部４７に入力して、上記画像ファイルＤ１を上記画像出力態様Ｔ１、Ｔ２で出力する。
【００５１】
すなわち、画像出力手段４４は、バッファ部４７に記憶された画像ファイルＤ１中の画像データに対して画像加工部４８により所望の画像加工、例えばセピア仕上げの画像加工を施した後、この画像加工が施された画像データを画像プリント部４９Ａでプリントし可視画像として出力するとともに、上記画像データに対して画像加工部４８により画像圧縮処理を施した後、この画像加工が施された画像データをＣＤ−Ｒ記録部４９Ｂに装填されたＣＤ−Ｒに出力し記録する。
【００５２】
つづいて、第１の読取手段４２が上記記録媒体３０から画像ファイルＤ２とこの画像ファイルに対応する画像ユーザ識別名Ｃとを読み出し記憶する。なお、このとき、既に第１の読取手段４２に記憶されていた画像ファイルＤ１とこの画像ファイルに対応する画像ユーザ識別名Ａ，Ｂは消去される。
【００５３】
第２の読取手段４３は、第１の読取手段４２に記憶された画像ユーザ識別名Ｃを読み出し、さらに、この読み出された画像ユーザ識別名Ｃを参照して記憶手段５１中を検索し画像ユーザ識別名Ｃに対応する画像出力態様Ｔ３を読み取って記憶する。画像出力手段４４は、第２の読取手段４３に記憶された画像出力態様Ｔ３と第１の読取手段４２に記憶された画像ファイルＤ２とをバッファ部４７に入力して、上記画像ファイルＤ２を上記画像出力態様Ｔ３で出力する。
【００５４】
すなわち、画像出力手段４４は、バッファ部４７に記憶された画像ファイルＤ２中の画像データを画像圧縮することなくＭＯ記録部４９Ｃに装填されたＭＯに出力し記録する。
【００５５】
上記のように、画像データ出力装置４０が、記録媒体３０から画像ファイルとこの画像ファイルに対応する画像ユーザ識別名とを読み出す毎に、この画像ファイル中の画像データをユーザ毎の所望の画像出力態様で出力することができる。
【００５６】
すなわち、図７に示すように、記録媒体３０から画像ファイルＤ１とこの画像ファイルＤ１に対応付けられた画像ユーザ識別名Ａ、Ｂとが読み出されると、この画像ファイルＤ１中の画像データを、画像ユーザ識別名Ａを持つユーザＰ１、画像ユーザ識別名Ｂを持つユーザＰ２のそれぞれ所望の、上記画像ユーザ識別名Ａ、Ｂと対応付けられた画像出力態様Ｔ１（セピア仕上げプリント）、およびＴ２（ＣＤ―Ｒ記録）で出力され、つづいて、記録媒体３０から画像ファイルＤ２とこの画像ファイルＤ２に対応付けられた画像ユーザ識別名Ｃとが読み出されると、この画像ファイルＤ２中の画像データを、画像ユーザ識別名Ｃを持つユーザＰ３の所望の、上記画像ユーザ識別名Ｃと対応付けられた画像出力態様Ｔ３（ＭＯ記録）で出力される。このようにして、被写体を撮像して取得した画像データをユーザ毎の所望の態様で容易に出力することができる。
【００５７】
なお、画像データ出力装置において、この画像データ出力装置から出力する画像ファイルの画像データに適用する画像出力態様は、出力媒体、画像加工、出力サイズ、出力数に関する態様に限らず、画像ファイル中の画像データの出力に関する態様であればどのようなものであってもよい。
【００５８】
また、上記画像データ出力装置は、家庭用の装置、あるいは店頭に設置される装置としてもよく、さらに、画像データの出力サービスを提供するラボ用の装置としてもよい。
【００５９】
ここで、デジタルカメラにおいて、画像データに画像ユーザ識別名を対応付けて記録媒体に記録する方式は、画像データを含む画像ファイルと画像ユーザ識別名とを個別に対応付ける場合に限らずどのような方式を用いてもよい。例えば、画像ユーザ識別名を上記画像データを含む画像ファイルの付帯情報として取り込むようにしてもよい。
【００６０】
さらに、デジタルカメラにおいて、ユーザと画像ユーザ識別名を対応付ける手法は、指紋照合やマニュアルでの直接入力に限らず、他のどのような手法を用いてもよい。例えば、ユーザの瞳の特徴をファインダー等を通して検出する、いわゆる瞳入力の手法を用いてもよい。
【００６１】
なお、画像出力態様を記憶する記憶手段は、画像データ出力装置に付属して配設される場合に限らず、画像データ出力装置外に個別に配置するようにしてもよい。
【００６２】
上記のように、本発明によれば、デジタルカメラにおいて、被写体を撮像して取得した画像データを含む画像ファイル毎に、この画像ファイルのユーザを入力しておくことにより、画像データ出力装置から上記被写体を表す画像データをユーザ毎の所望の態様で容易に出力させることができる。
【図面の簡単な説明】
【図１】本発明の画像撮影出力方法を実施する画像撮影出力システムの概念図
【図２】デジタルカメラの概略構成を示すブロック図
【図３】画像データ出力装置の概略構成を示すブロック図
【図４】画像ファイルとこの画像ファイルを利用するユーザとを対応付ける際の情報の流れを示す概念図
【図５】画像ファイルと画像ユーザ識別名とが画像ファイル毎に順次対応付けられる様子を示す図
【図６】画像データ出力装置における情報の流れを示す概念図
【図７】画像ファイルとこの画像ファイル中の画像データの画像出力態様との関係を示す概念図
【符号の説明】
１　　被写体
１０　　デジタルカメラ
２０　　入力手段
３０　　記録媒体
４０　　画像データ出力装置
４９Ａ　　画像プリント部
４９Ｂ　　ＣＤ−Ｒ記録部
４９Ｃ　　ＭＯ記録部
【図１】
2004050407.tif 000003
【図２】
2004050407.tif 000004
【図３】
2004050407.tif 000005
【図４】
2004050407.tif 000006
【図５】
2004050407.tif 000007
【図６】
2004050407.tif 000008
【図７】
2004050407.tif 000009